(57)【要約】      （修正有）【課題】ジャンクションボックス補助固定構造を提供する。【解決手段】ジャンクションボックス４に設けられる補助固定片５と、補助固定片５に固設するスイッチブロック６とを備え、補助固定片５には、半径方向両側の外側から内側に向けて、左右一対の軸方向の長孔５１、短孔５２、及び中央貫通孔５３が順次に形成され、中央貫通孔５３の四隅から、補助固定片５の中央に向けて斜め方向に延設される固定フラップ５４を備え、スイッチブロック６の両側には、それぞれ外ネジ孔６１と内ネジ孔６２が設けられると共に、外ネジ孔６１が補助固定片５の長孔５１に対応し、内ネジ孔６２が補助固定片５の短孔５２に対応する。スイッチブロック６が、ジャンクションボックス４とスイッチブロック６との間に設けられる補助固定片５で固定されることによって、ジャンクションボックス４の錆びに起因するスイッチブロック６の固定不良を防ぐことができる。【選択図】図３
0003195359.tif 000002
【実用新案登録請求の範囲】
【請求項１】
ジャンクションボックスに設けられる補助固定片と、前記補助固定片に固設するスイッチブロックとを備えるジャンクションボックス補助固定構造であって、
前記補助固定片には、半径方向両側の外側から内側に向けて、左右一対の軸方向の長孔、短孔、及び中央貫通孔が順次に形成られ、
前記中央貫通孔の四隅から、前記補助固定片の中央に向けて斜め方向に延設される固定フラップを備え、
前記スイッチブロックの両側には、それぞれ外ネジ孔と内ネジ孔が設けられると共に、前記外ネジ孔が前記補助固定片の長孔に対応し、前記内ネジ孔が前記補助固定片の短孔に対応することを特徴とする、ジャンクションボックス補助固定構造。
【請求項２】
前記補助固定片の中央貫通孔は、スイッチを貫設できるように構成されることを特徴とする、請求項１に記載のジャンクションボックス補助固定構造。
【請求項３】
前記スイッチブロックの中央にスイッチが貫設され、前記スイッチブロックの外側に装飾用の蓋が覆設されることを特徴とする、請求項１に記載のジャンクションボックス補助固定構造。
【請求項４】
前記補助固定片は、前記固定フラップを介して前記ジャンクションボックス上に装設されることを特徴とする、請求項１に記載のジャンクションボックス補助固定構造。
【請求項５】
前記スイッチブロックと前記補助固定片は、前記スイッチブロックの外ネジ孔と、前記補助固定片の長孔を穿設する固設部材によって壁に固設されることを特徴とする、請求項１に記載のジャンクションボックス補助固定構造。
【考案の詳細な説明】
【技術分野】
【０００１】
本考案は、ジャンクションボックス補助固定構造に係り、特に、ジャンクションボックスの錆びに起因するスイッチブロックの固定不良を防ぐことができるジャンクションボックス補助固定構造に関する。
【背景技術】
【０００２】
図１，２に示すように、家庭用の電気スイッチブロック（またはコンセント）１は、壁Ｗに埋設されたジャンクションボックス２に固設され、ジャンクションボックス２の両側で対向するように延出固定部２１が延設され、スイッチブロック１の中央に電気スイッチ３が埋設できる空間を提供する。スイッチブロック１の横方向両側には、ジャンクションボックス２の延出固定部２１に対応する固定孔１１が設けられ、スイッチブロック１は、スイッチブロック１の固定孔１１に穿設する固設部材Ｓによってジャンクションボックス２に固設されるとともに、スイッチブロック１の外側に装飾用の蓋１２が覆設されている。
【０００３】
上述の構成だけでも、スイッチブロック１をジャンクションボックス２に固設する目的を達成するが、ジャンクションボックス２は一般的に金属製であるため、ジャンクションボックス２が錆び易くなり、ジャンクションボックス２が一旦錆びる現象を起こしてしまた時、ジャンクションボックス２の延出固定部２１は先に錆びにより断裂する。そのジャンクションボックス２の延出固定部２１が錆びにより断裂した場合、スイッチブロック１を固設できるスポットがなくなるためジャンクションボックス２の外に落ちてしまい、ジャンクションボックス２（即ち、壁Ｗ）の外にぶら下げる状態になる。そのため、スイッチブロック１の使用上の不便になる他、さらに感電の危険が生じるという深刻な問題がある。
【考案の概要】
【考案が解決しようとする課題】
【０００４】
上記公知のジャンクションボックス２の構造の問題に鑑み、ジャンクションボックス２が錆びつくでも、スイッチブロック１を安定に固設できる構造が望まれる。
【０００５】
本考案の主な目的は、ジャンクションボックス補助固定構造を提供し、公知のジャンクションボックスが錆びによってスイッチブロックを安定に固設できない問題を解決することにある。
【課題を解決するための手段】
【０００６】
上述した目的を達成するため、本考案の主な技術手段は、ジャンクションボックスに設けられる補助固定片と、前記補助固定片に固設するスイッチブロックとを備えるジャンクションボックス補助固定構造を提供し、前記補助固定片には、半径方向両側の外側から内側に向けて、左右一対の軸方向の長孔、短孔、及び中央貫通孔が順次に形成られ、前記中央貫通孔の四隅から、前記補助固定片の中央に向けて斜め方向に延設される固定フラップを備え、前記スイッチブロックの両側には、それぞれ外ネジ孔と内ネジ孔が設けられると共に、前記外ネジ孔が前記補助固定片の長孔に対応し、前記内ネジ孔が前記補助固定片の短孔に対応することを特徴とする。
【０００７】
本考案が上記主な技術手段によって達成する効果は、ジャンクションボックスとスイッチブロックとの間に設けられて、スイッチブロックが固設できる補助固定片より、ジャンクションボックスの錆びに起因するスイッチブロックの固定不良の問題を防ぐことができる。
【図面の簡単な説明】
【０００８】
【図１】従来のジャンクションボックスとスイッチブロックの分解斜視図。
【図２】従来のジャンクションボックスとスイッチブロックの断面図。
【図３】本考案のジャンクションボックス補助固定構造の分解斜視図。
【図４】本考案のジャンクションボックスと補助固定片との接合状態を示す模式図。
【図５】本考案のジャンクションボックス補助固定構造の断面図。
【考案を実施するための形態】
【０００９】
図３に示すように、本考案のジャンクションボックス補助固定構造は、ジャンクションボックス４に設けられる補助固定片５と、補助固定片５に固設するスイッチブロック６とを備える。
【００１０】
図３，４に示すように、補助固定片５は、ジャンクションボックス４の外側面に設けられ、補助固定片５の半径方向両側の外側から内側に向けて、左右一対の軸方向の長孔５１、短孔５２、及び中央貫通孔５３が順次に形成られると共に、中央貫通孔５３の四隅から、補助固定片５の中央に向けて斜め方向に延設される固定フラップ５４を備え、中央貫通孔５は、スイッチ７を貫設できるように構成される。
【００１１】
図３に示すように、スイッチブロック６の両側には、それぞれ外ネジ孔６１と内ネジ孔６２が設けられると共に、外ネジ孔６１が補助固定片５の長孔５１に対応し、内ネジ孔６２が補助固定片５の短孔５２に対応する。また、スイッチブロック６の中央にスイッチ７が埋設され、スイッチブロック７の外側に装飾用の蓋８が覆設される。
【００１２】
図３，４，５に示すように、本考案が、すでに錆び付いているジャンクションボックス４に実施した場合、ジャンクションボックス４の延出固定部４１のいずれが錆びにより断裂した時、補助固定片５が、中央貫通孔５３の四隅の固定フラップ５４がジャンクションボックス４の方向に向けて屈曲することにより、補助固定片５をジャンクションボックス４上に覆設される時、その屈曲された固定フラップ５４が丁度いいジャンクションボックス４内の四隅に挿設することになる。これによって補助固定片５をジャンクションボックス４の外側面に位置決めさせると同時に、ジャンクションボックス４を覆うことができる。そして、スイッチブロック６の内ネジ孔６２及び補助固定片５の短孔５２に穿設する固設部材Ｓ１によって、スイッチブロック６及び補助固定片５を一緒に、ジャンクションボックス４におけるまだ錆び付いていない延出固定部４１に固設されると共に、スイッチブロック６の外ネジ孔６１及び補助固定片５の長孔５１に穿設するもう１つの固設部材Ｓ２によって、スイッチブロック６及び補助固定片５を壁Ｗ１に固設される。これによって、スイッチブロック６がより安定に錆び付いているジャンクションボックス４に固設することができる。
【００１３】
本考案が発揮する効果は、ジャンクションボックス４とスイッチブロック６との間に介設する補助固定片５を用いて、補助固定片５が固定フラップ５４を介してジャンクションボックス４に挿設すると同時に、スイッチブロック６が補助固定片５に固定することができることによって、ジャンクションボックス４の錆びに起因するスイッチブロック６の固定不良を防ぐことができる。
【符号の説明】
【００１４】
１…スイッチブロック
１１…固定孔
１２…蓋
２…ジャンクションボックス
２１…延出固定部
３…スイッチ
４…ジャンクションボックス
４１…延出固定部
５…補助固定片
５１…長孔
５２…短孔
５３…中央貫通孔
５４…固定フラップ
６…スイッチブロック
６１…外ネジ孔
６２…内ネジ孔
７…スイッチ
８…蓋
Ｓ、Ｓ１、Ｓ２…固設部材
Ｗ、Ｗ１…壁
【図１】
0003195359.tif 000003
【図２】
0003195359.tif 000004
【図３】
0003195359.tif 000005
【図４】
0003195359.tif 000006
【図５】
0003195359.tif 000007